(57)【要約】【課題】  従来のボルト締めランジュバン型振動子では、金属ブロック１のねじ穴１ａに入っている空気がスタッドボルト１０で圧縮され、この圧縮された空気は接着面１ｃと振動板９の間に噴出するために、接着面１ｃと振動板９との接着面に空気層を形成し、接着強度を低減させるという問題があった。【解決手段】    １，２は金属ブロック、３，４は圧電体振動子、５，６は電極、７は結合ボルト、８はボルト締めランジュバン型振動子で、これらの構成は上記従来例と同じであるので、説明は省略するが、本実施例では、結合ボルト７の中心に、結合ボルト７の軸方向に中心孔７ａが形成されている。【選択図】図１
2009220014.tif 000002
【特許請求の範囲】
【請求項１】
２つの金属ブロックの間にリング状の圧電体振動子が挟持され、前記２つの金属ブロックのねじ穴に結合ボルトがねじ込まれて一体に形成され、前記２つの金属ブロックの内面又は前記結合ボルトの側面に縦方向に少なくとも１つの溝を形成するか、前記結合ボルトの中心に縦方向に貫通孔を形成してなり、前記２つの金属ブロックの一方のねじ穴の端部を、振動板を固着したスタッドボルトに接着剤を塗布してねじ止めするときに、前記金属ブロックのねじ穴内の空気を抜くことを特徴とするボルト締めランジュバン型振動子。
【発明の詳細な説明】
【技術分野】
【０００１】
本発明は、スタッドボルトを用いた接着における接着強度を向上するするランジュバン型振動子に関するものである。
【背景技術】
【０００２】
従来、図６及び図７に示すように、２つの金属ブロック１，２の間にリング状の圧電体振動子３，４が挟持され、これらの圧電体振動子３，４の間及び端部に電極５，６が挟持され、２つの金属ブロック１，２のねじ穴１ａ、２ａに結合ボルト７がねじ込まれて一体に形成されたボルト締めランジュバン型振動子８が提案されている。
【０００３】
このように構成されたボルト締めランジュバン型振動子では、図６に示すように、２つの金属ブロック１，２の一方の金属ブロック１のねじ穴１ａを、振動板９に固着したスタッドボルト１０にねじ込んで、振動板９にボルト締めランジュバン型振動子８を固定する場合、スタッドボルト１０に金属ブロック１のねじ穴１ａをねじ込む際に、金属ブロック１のねじ穴１ａに入っている空気がスタッドボルト１０で圧縮され、この圧縮された空気は接着面１ｃと振動板９の間に噴出するために、接着面１ｃと振動板９との接着面に空気層を形成し、接着強度を低減させるという問題があった。
【特許文献１】実開平５−３９６７７号
【発明の開示】
【発明が解決しようとする課題】
【０００４】
解決しようとする問題点は、従来のボルト締めランジュバン型振動子では、金属ブロック１のねじ穴１ａに入っている空気がスタッドボルト１０で圧縮され、この圧縮された空気は接着面１ｃと振動板９の間に噴出するために、接着面１ｃと振動板９との接着面に空気層を形成し、接着強度を低減させるという問題があった。
【課題を解決するための手段】
【０００５】
本発明では、２つの金属ブロックの間にリング状の圧電体振動子が挟持され、前記２つの金属ブロックのねじ穴に結合ボルトがねじ込まれて一体に形成され、前記２つの金属ブロックの内面又は前記結合ボルトの側面に縦方向に少なくとも１つの溝を形成するか、前記結合ボルトの中心に縦方向に貫通孔を形成してなり、前記２つの金属ブロックの一方のねじ穴の端部を、振動板に固着したスタッドボルトに接着剤を塗布してねじ止めするときに、金属ブロックねじ穴内の空気を抜くものである。
【発明の効果】
【０００６】
本発明のボルト締めランジュバン型振動子では、ランジュバン型振動子と振動板を接着する際、金属ブロックの内面又は結合ボルトの溝又は貫通孔から、金属ブロックねじ穴内に溜まった空気を外へ排出することで、金属ブロック接着面１ｃと振動板９の間に空気が侵入することを防ぐことができるという利点がある。
【発明を実施するための最良の形態】
【０００７】
本発明では、２つの金属ブロックの内面又は結合ボルトの側面に縦方向に少なくとも１つの溝を形成するか、結合ボルトの中心に縦方向に貫通孔を形成し、２つの金属ブロックの一方のねじ穴の端部を、振動板に固着したスタッドボルトに接着剤を塗布してねじ止めするときに、金属ブロックねじ穴内の空気を抜くものである。
【実施例】
【０００８】
図１は本発明の実施例のボルト締めランジュバン型振動子の側面断面図で、１，２は金属ブロック、３，４は圧電体振動子、５，６は電極、７は結合ボルト、８はボルト締めランジュバン型振動子で、これらの構成は上記従来例と同じであるので、説明は省略するが、本実施例では、結合ボルト７の中心に、結合ボルト７の軸方向に中心孔７ａが形成されている。
【０００９】
このように構成された本実施例のボルト締めランジュバン型振動子では、まず、図６に示した振動板９に固着されたスタッドボルト１０にボルト締めランジュバン型振動子８の金属ブロック１のねじ穴１ａを接着剤を塗布してねじ嵌合すると、スタッドボルト１０に金属ブロック１のねじ穴１ａを入れると同時に、ねじ穴１ａに入っている空気は結合ボルト７の中心孔７ａを介して外部に排出されるので、ねじ穴１ａに入っている空気は圧縮されることが無く、ボルト締めランジュバン型振動子８と振動板９の接着強度が低減されることがない。
【００１０】
図２は本発明の他の実施例のボルト締めランジュバン型振動子の断面図、図３は結合ボルト７の斜視図で、１，２は金属ブロック、３，４は圧電体振動子、５，６は電極、７は結合ボルト、８はボルト締めランジュバン型振動子で、これらの構成は上記実施例と同じであるので、説明は省略するが、本実施例では、結合ボルト７の側部に、結合ボルト７の軸方向に溝７ｂが形成されている。
【００１１】
このように構成された本実施例のボルト締めランジュバン型振動子では、まず、図６に示した振動板９に固着されたスタッドボルト１０に、ボルト締めランジュバン型振動子８の金属ブロック１のねじ穴１ａを接着剤を塗布してねじ嵌合すると、スタッドボルト１０に金属ブロック１のネジ穴１ａを入れると同時に、ねじ穴１ａに入っている空気は結合ボルト７の側部の溝７ｂを介して外部に排出されるので、ねじ穴１ａに入っている空気は圧縮されることが無く、ボルト締めランジュバン型振動子８と振動板９の接着強度が低減されることがない。
【００１２】
図４は本発明の他の実施例のボルト締めランジュバン型振動子の断面図、図５は図４のボルト締めランジュバン型振動子の斜視図で、１，２は金属ブロック、３，４は圧電体振動子、５，６は電極、７は結合ボルト、８はボルト締めランジュバン型振動子で、これらの構成は上記実施例と同じであるので、説明は省略するが、本実施例では、金属ブロック１，２のねじ穴１ａ、２ａの内面に、金属ブロック１，２の軸方向に溝１ｂ、２ｂが形成されている。
【００１３】
このように構成された本実施例のボルト締めランジュバン型振動子では、まず、図６に示した振動板９に固着されたスタッドボルト１０に、ボルト締めランジュバン型振動子８の金属ブロック１のねじ穴１ａを接着剤を塗布してねじ嵌合すると、スタッドボルト１０に金属ブロック１のねじ穴１ａを入れると同時に、ねじ穴１ａに入っている空気は金属ブロック１の溝１ｂ、金属ブロック２の溝２ｂを介して外部に排出されるので、ネジ穴１ａに入っている空気は圧縮されることが無く、ボルト締めランジュバン型振動子８と振動板９の接着強度が低減されることがない。
【産業上の利用可能性】
【００１４】
なお、上記実施例において、結合ボルト７の側部及び金属ブロック１，２のネジ穴１ａ、２ａにそれぞれ２つの溝１ｂ、２ｂを形成した例を示したが、溝１ｂ、２ｂはそれぞれ１つでもよい。
【図面の簡単な説明】
【００１５】
【図１】本発明の実施例のボルト締めランジュバン型振動子の断面図である。
【図２】本発明の他の実施例のボルト締めランジュバン型振動子の断面図である。
【図３】図２のボルト締めランジュバン型振動子の結合ボルトの斜視図である。
【図４】本発明のさらに他の実施例のボルト締めランジュバン型振動子の断面図である。
【図５】図４のボルト締めランジュバン型振動子の斜視図である。
【図６】従来のボルト締めランジュバン型振動子と振動板とスタッドボルトの斜視図である。
【図７】図６のボルト締めランジュバン型振動子の断面図である。
【符号の説明】
【００１６】
１、２            金属ブロック
３，４            圧電体振動子
５，６            電極
７                結合ボルト
８                ボルト締めランジュバン型振動子
９                振動板
１０              スタッドボルト
【図１】
2009220014.tif 000003
【図２】
2009220014.tif 000004
【図３】
2009220014.tif 000005
【図４】
2009220014.tif 000006
【図５】
2009220014.tif 000007
【図６】
2009220014.tif 000008
【図７】
2009220014.tif 000009